(57)【特許請求の範囲】
【請求項１】
番組作成装置において番組を作成する番組作成方法であって、
前記番組作成装置は、
ナレーションを含む基本シナリオを記憶する基本シナリオ記憶部と、
前記基本シナリオに含まれるナレーションの言葉の表現を調整して前記番組を特定する番組データを作成する番組作成部と、
複数の素材データを管理する素材データ処理部を備え、
前記番組作成部は、前記基本シナリオを繰り返し使用して複数の番組データを作成し、
前記番組作成部が、前記基本シナリオに従って複数の素材データを用いて第１番組データを作成する第１番組データ作成ステップと、
前記番組作成部が、前記基本シナリオを調整して複数の素材データを用いて第２番組データを作成する第２番組データ作成ステップを含み、
前記番組作成部が前記第１番組データを作成したときに用いる複数の素材データと、前記基本シナリオが調整されて前記番組作成部が前記第２番組データを作成されたときに用いる複数の素材データとは、少なくとも一部が異なる、番組作成方法。
【請求項２】
前記番組作成装置は、再生装置に対して前記番組データを送信する番組再生部を備え、
前記第２番組データ作成ステップにおいて、前記番組作成部は、前記基本シナリオに対して調整をして前記第２番組データを作成すると同時に、前記基本シナリオに対して異なる調整をして第３番組データを作成し、
前記番組再生部は、前記再生装置に対して、前記再生装置が前記第２番組データと前記第３番組データのいずれも選択して受信できる状態で送信する、請求項１記載の番組作成方法。
【請求項３】
前記番組作成装置は、
再生装置に対して前記番組データを送信する番組再生部と、
前記第２番組データを作成するための素材データの特徴を特定する第１索引データと前記第３番組データを作成するための素材データの特徴を特定する第２索引データを生成する索引データ処理部を備え、
前記再生装置は、環境データを収集する環境データ処理部と、番組選択部を備え、
前記番組選択部は、前記第１索引データ及び前記第２索引データと前記環境データとを比較して、前記第２番組データと前記第３番組データのいずれかを選択し、
前記番組再生部は、前記番組選択部が選択した番組データを前記再生装置に送信する、請求項２記載の番組作成方法。
【請求項４】
前記番組作成装置は、動的データを作成する動的データ処理部を備え、
前記第２番組データは、第１素材データ及び第１ナレーションを用いた第１番組部分と、第２素材データを用いた第２番組部分を含み、
前記第１番組部分に続いて前記第２番組部分が再生され、
前記動的データは、前記第１番組部分の再生の開始時刻及び終了時刻が含まれ、
前記番組作成部は、前記動的データを利用して前記第１ナレーションを調整して前記第１番組部分を生成する、請求項１記載の番組作成方法。
【請求項５】
番組を作成する番組作成装置であって、
ナレーションを含む基本シナリオを記憶する基本シナリオ記憶部と、
複数の素材データを管理する素材データ処理部と、
前記基本シナリオに含まれるナレーションの言葉の表現を調整して前記番組を特定する番組データを作成する番組作成部と、
動的データを作成する動的データ処理部と、
前記動的データを記憶する動的データ記憶部を備え、
前記番組作成部は、前記動的データを使用せずに前記基本シナリオに従って複数の素材データを選択して第１番組データを作成する第１番組データ作成ステップと、
前記番組作成部は、前記基本シナリオ及び前記動的データに従って複数の素材データを選択して第２番組データを作成する第２番組データ作成ステップを含み、
前記動的データ処理部は、前記番組作成部が前記第１番組データを作成する処理を開始してから前記第２番組データを作成する処理を開始するまでの間に、前記動的データを作成し、
前記番組作成部が前記第１番組データを作成したときに選択される複数の素材データと、前記番組作成部が前記第２番組データを作成したときに選択される複数の素材データとは、少なくとも一部が異なる、番組作成方法。
【請求項６】
コンピュータを、請求項５記載の番組作成装置として機能させるためのプログラム。
【発明の詳細な説明】
【技術分野】
【０００１】
本願発明は、番組作成方法、番組作成装置及びプログラムに関し、特に、番組作成装置において番組を作成する番組作成方法等に関する。
【背景技術】
【０００２】
出願人は、例えば特許文献１、２及び３などにあるように、作成者が入力した情報を利用して自動的に番組を制作する情報処理装置を研究・開発している。
【先行技術文献】
【特許文献】
【０００３】
【特許文献１】特許第４７２５９３６号公報
【特許文献２】特許第４７２５９１８号公報
【特許文献３】特願２０１９−１５７２０９
【発明の概要】
【発明が解決しようとする課題】
【０００４】
しかしながら、現在、例えば生放送や生配信などでは、多くの人が関与して、多くの手作業が必要である。また、出願人が研究・開発してきた番組制作装置では、生放送や生配信のように時々刻々と変化する状況に柔軟に対応することが難しい側面があった。
【０００５】
そこで、本願発明は、状況変化に対応して番組を作成することに適した番組作成方法等を提案することを目的とする。
【課題を解決するための手段】
【０００６】
本願発明の第１の観点は、番組作成装置において番組を作成する番組作成方法であって、前記番組作成装置は、基本シナリオを記憶する基本シナリオ記憶部と、前記番組を特定する番組データを作成する番組作成部と、前記動的データを作成する動的データ処理部と、前記動的データを記憶する動的データ記憶部を備え、前記番組作成部が、前記動的データを使用せずに前記基本シナリオの少なくとも一部を用いて第１番組データを作成する第１番組データ作成ステップと、前記番組作成部が、前記基本シナリオの少なくとも一部及び前記動的データを用いて第２番組データを作成する第２番組データ作成ステップを含み、前記動的データ処理部は、前記番組作成部が前記第１番組データを作成する処理を開始してから前記第２番組データを作成する処理を開始するまでの間に、前記動的データを作成し、前記第２番組データ作成ステップにおいて、前記番組作成部は、前記基本シナリオの少なくとも一部及び前記動的データ処理部が作成した前記動的データを利用して第２番組データを作成する。
【０００７】
本願発明の第２の観点は、第１の観点の番組作成方法であって、前記基本シナリオは、第１基本シナリオ部と、第２基本シナリオ部を含み、前記第１番組データ作成ステップにおいて、前記番組作成部は、前記第１基本シナリオ部を利用して前記第１番組データを作成し、前記第２番組データ作成ステップにおいて、前記番組作成部は、前記第２基本シナリオ部及び前記動的データを利用して前記第２番組データを作成する。
【０００８】
本願発明の第３の観点は、第２の観点の番組作成方法であって、前記基本シナリオは、第１基本シナリオ部と、第２基本シナリオ部と、第３基本シナリオ部を含み、前記第２番組データ作成ステップに続いて、前記番組作成部が、前記動的データを使用せずに前記第３基本シナリオ部を用いて第３番組データを作成する第３番組データ作成ステップを含み、前記基本シナリオにおいて、前記第３番組データにより特定される番組の再生が開始される第３番組データ再生開始時刻が定められており、前記動的データは、少なくとも、前記第２番組データにより特定される番組の再生が開始される第２番組データ再生開始時刻を特定し、前記第２番組データ作成ステップにおいて、前記番組作成部は、前記第２番組データ再生開始時刻及び前記第３番組データ再生開始時刻に応じて再生時間を変更して前記第２番組データを作成する。
【０００９】
本願発明の第４の観点は、第１から第３のいずれかの観点の番組作成方法であって、前記動的データは、第１動的データと、前記第１動的データとは異なる第２動的データを含み、前記第２番組データ作成ステップにおいて、前記番組作成部は、前記基本シナリオの少なくとも一部及び前記第１動的データを利用して第１ローカル番組データを作成し、前記基本シナリオの少なくとも一部及び前記第２動的データを利用して第２ローカル番組データを作成する。
【００１０】
本願発明の第５の観点は、第４の観点の番組作成方法であって、前記番組作成装置は、再生装置に対して前記番組データを送信する番組再生部と、前記第１ローカル番組データの特徴を特定する第１索引データと前記第２ローカル番組データの特徴を特定する第２索引データを生成する索引データ処理部を備え、前記再生装置は、環境データを収集する環境データ処理部と、番組選択部を備え、前記番組選択部は、前記第1索引データ及び前記第２索引データと前記環境データとを比較して、前記第１ローカル番組データと前記第２ローカル番組データのいずれかを選択し、前記番組再生部は、前記番組選択部が選択した番組データを前記再生装置に送信する。
【００１１】
本願発明の第６の観点は、番組を作成する番組作成装置であって、基本シナリオを記憶する基本シナリオ記憶部と、前記番組を特定する番組データを作成する番組作成部と、前記動的データを作成する動的データ処理部と、前記動的データを記憶する動的データ記憶部を備え、前記番組作成部は、前記動的データを使用せずに前記基本シナリオの少なくとも一部を用いて第１番組データを作成し、前記番組作成部は、前記基本シナリオの少なくとも一部及び前記動的データを用いて第２番組データを作成し、前記動的データ処理部は、前記番組作成部が前記第１番組データを作成する処理を開始してから前記第２番組データを作成する処理を開始するまでの間に、前記動的データを作成し、前記番組作成部は、前記基本シナリオの少なくとも一部及び前記動的データ処理部が作成した前記動的データを利用して第２番組データを作成する。
【００１２】
本願発明の第７の観点は、コンピュータを、第６の観点の番組作成装置として機能させるためのプログラムである。
【００１３】
なお、本願発明を、本願発明の第７の観点のプログラムを記録するコンピュータ読み取り可能な記録媒体として捉えてもよい。
【発明の効果】
【００１４】
本願発明の各観点によれば、番組全体として、当初は事前に定められた基本シナリオを用いて番組を作成し、徐々に、動的データにより基本シナリオを調整しつつ番組を作成することが可能になる。これにより、動的データによって状況変化に柔軟に対応することができる。例えば生放送では、当初は、基本シナリオに従って番組全体への統一感を出しつつ、徐々に、例えば時間の余裕がなくなった場合に対応をすることなどを実現することができる。また、例えば災害情報を通知するときには、当初は「地震発生」のように事象が生じたことを伝えることとしつつ、徐々に、市町村などが伝える情報を利用して、視聴者に対応した具体的な情報を通知できる。
【図面の簡単な説明】
【００１５】
【図１】本願発明の実施の形態に係る番組作成システム１の（ａ）構成の一例を示すブロック図と、（ｂ）、（ｃ）及び（ｄ）動作の一例を示すフロー図である。
【図２】本願発明の実施の形態に係る番組作成システム５１の（ａ）構成の一例を示すブロック図と、（ｂ）基本シナリオの一例を示す図と、（ｃ）動作の一例を示すフロー図である。
【図３】本願発明の実施の形態に係る番組作成システム１０１の構成の一例を示すブロック図である。
【図４】図３の番組作成システム１０１について、（ａ）基本シナリオの一例を示す図と、（ｂ）及び（ｃ）動作の一例を示すフロー図と、（ｄ）作成される番組データの関係の一例を示す図である。
【発明を実施するための形態】
【００１６】
以下では、図面を参照して、本願発明の実施例について説明する。なお、本願発明は、この実施例に限定されるものではない。
【実施例】
【００１７】
図１は、本願発明の実施の形態に係る番組作成システム１の（ａ）構成の一例を示すブロック図と、（ｂ）、（ｃ）及び（ｄ）動作の一例を示すフロー図である。
【００１８】
図１（ａ）を参照して、番組作成システム１は、番組作成装置３（本願請求項の「番組作成装置」の一例）と、再生装置５（本願請求項の「再生装置」の一例）を備える。番組作成装置３と再生装置５は、例えばインターネットなどを利用して通信可能である。
【００１９】
番組作成装置３は、基本シナリオ記憶部１１（本願請求項の「基本シナリオ記憶部」の一例）と、素材データ記憶部１３と、動的データ記憶部１５（本願請求項の「動的データ記憶部」の一例）と、索引データ記憶部１７と、番組データ記憶部１９と、番組作成部２１（本願請求項の「番組作成部」の一例）と、素材データ処理部２３と、動的データ処理部２５（本願請求項の「動的データ処理部」の一例）と、索引データ処理部２７（本願請求項の「索引データ処理部」の一例）と、番組再生部２９（本願請求項の「番組再生部」の一例）を備える。
【００２０】
基本シナリオ記憶部１１は、基本シナリオを記憶する。
【００２１】
素材データ記憶部１３は、番組を作成するときに使用するデータである。例えば、事前に録音した音データや映像データ、効果音やＢＧＭなどを示す音データ、生放送や生配信などでは番組作成と同時に採取された音データや映像データなどである。素材データ処理部２３は、素材データを管理する。例えば、生放送や生配信などでは、録音機器により番組作成と同時に採取された音データを収集して、素材データ記憶部１３に記憶させる。
【００２２】
動的データ処理部２５は、番組作成部２１が番組を作成する作業を開始してから、次の番組を作成する処理を開始するまでの間に、次の番組を作成するために必要となる情報を収集して、動的データを作成する。ここで、動的データの作成は、例えば、新たに収集された情報によって行われてもよく、以前に収集された情報によって作成された動的データを、新たに収集された情報によって更新されることにより行われてもよい。動的データ記憶部１５は、動的データを記憶する。
【００２３】
番組作成部２１は、基本シナリオ、素材データ及び動的データを用いて、感情分析などの必要な処理を行って番組を生成して、生成した番組を特定する番組データを生成する。番組データ記憶部１９は、番組作成部２１が作成した番組データを記憶する。
【００２４】
索引データ処理部２７は、番組作成部２１が複数の番組データを作成した場合に、各番組データの特徴を示す索引データを作成する。索引データ記憶部１７は、索引データを記憶する。
【００２５】
番組再生部２９は、再生装置５に番組データを送信する。
【００２６】
再生装置５は、環境データ処理部３１（本願請求項の「環境データ処理部」の一例）と、番組選択部３３（本願請求項の「番組選択部」の一例）と、番組再生部３５を備える。
【００２７】
環境データ処理部３１は、再生装置５の環境を特定する環境データを生成する。環境データは、例えば、ＧＰＳなどを利用して再生装置５が存在する地区を特定したり、再生装置５の利用者の会話から利用者の関心が高い事項を特定したり、利用者の指示を特定したりする。
【００２８】
番組選択部３３は、番組データが複数ある場合に、索引データと環境データを利用して再生する番組データを選択する。
【００２９】
番組再生部３５は、番組再生部２９から番組データを受信して、番組データが特定する番組を再生する。例えば再生装置５が音を再生するもの（例えば人工知能（ＡＩ）スピーカーなど）であれば、番組データにより特定される音を再生する。例えば再生装置５が映像及び音を再生するもの（例えばテレビなど）であれば、番組データにより特定される音及び映像を再生する。
【００３０】
図１（ｂ）を参照して、番組作成部２１による番組データを作成する処理の一例を説明する。番組作成部２１は、番組を作成するまで待機する（ステップＳＴＡ１）。
【００３１】
番組作成部２１は、番組を作成するならば（ステップＳＴＡ１でＹＥＳの場合）、動的データを使用せずに、基本シナリオの一部又は全部を用いて番組を生成し、生成した番組を特定する番組データを生成する（ステップＳＴＡ２）。ここで、並行して、ステップＳＴＢ２により、動的データ処理部２５が動的データを生成する。番組データ記憶部１９は、生成された番組データを記憶する。
【００３２】
番組作成部２１は、動的データを使用するか否かを判断する（ステップＳＴＡ３）。
【００３３】
動的データを使用するならば、基本シナリオの一部又は全部と動的データとを用いて番組を生成し、生成した番組を特定する番組データを生成する（ステップＳＴＡ４）。番組データ記憶部１９は、生成された番組データを記憶する。生成された番組データが複数あるならば、索引データ処理部は、生成された各番組の特徴を示す索引データを生成する。索引データ記憶部１７は、索引データを記憶する。ステップＳＴＡ５に進む。
【００３４】
動的データを使用しないならば、動的データを使用せずに、基本シナリオの一部又は全部を用いて番組を生成し、生成した番組を特定する番組データを生成する（ステップＳＴＡ４）。番組データ記憶部１９は、生成された番組データを記憶する。ステップＳＴＡ５に進む。
【００３５】
ステップＳＴＡ５において、番組を作成する処理を終了するか否かを判断する。終了するならば、ステップＳＴＡ１に戻る。終了しないならば、ステップＳＴＡ３に戻る。
【００３６】
図１（ｃ）を参照して、動的データ処理部２５による動的データを作成する処理の一例を説明する。動的データ処理部２５は、番組を作成する処理が開始されるまで待機する（ステップＳＴＢ１）。動的データ処理部２５は、番組を作成する処理が開始したならば（ステップＳＴＢ１でＹＥＳの場合）、動的データを生成する（ステップＳＴＢ２）。動的データ記憶部１５は、生成された動的データを記憶する。動的データ処理部２５は、番組を作成する処理が終了したか否かを判断する（ステップＳＴＢ３）。終了したならば、ステップＳＴＢ１に戻る。終了していないならば、ステップＳＴＢ２に戻る。
【００３７】
図１（ｄ）を参照して、再生装置５の動作の一例を説明する。環境データ処理部３１は、継続して環境データを管理している。番組再生部３５は、番組を再生する処理を開始するまで待機する（ステップＳＴＣ１）。番組再生部３５は、番組を再生する処理を開始するならば（ステップＳＴＣ１でＹＥＳの場合）、生成された番組データが複数あるか否かを判断する（ステップＳＴＣ２）。一つであるならば、ステップＳＴＣ４に進む。複数であるならば、番組選択部３３は、環境データと索引データを用いて、生成された複数の番組データから再生する番組データを選択して（ステップＳＴＣ３）、ステップＳＴＣ４に進む。ステップＳＴＣ４において、番組再生部３５は、番組再生部２９から再生する番組データを受信して、番組を再生する。番組再生部３５は、番組を再生する処理が終了したか否かを判断する（ステップＳＴＣ５）。終了したならば、ステップＳＴＣ１に戻る。終了していないならば、ステップＳＴＣ２に戻る。
【００３８】
図２を参照して、基本シナリオが５つの基本シナリオ部に分かれており、これらの基本シナリオ部を順に用いて番組データを作成しつつ、作成した番組データを再生装置において順に再生する場合の一例を説明する。
【００３９】
図２は、本願発明の実施の形態に係る番組作成システム５１の（ａ）構成の一例を示すブロック図と、（ｂ）基本シナリオの一例を示す図と、（ｃ）動作の一例を示すフロー図である。
【００４０】
図２（ａ）を参照して、番組作成システム５１は、素材サーバ５３と、番組作成装置５５（本願請求項の「番組作成装置」の一例）と、撮影装置５７と、表示装置５９（本願請求項の「再生装置」の一例）を備える。撮影装置５７と素材サーバ５３との間、素材サーバ５３と番組作成装置５５との間、及び、番組作成装置５５と表示装置５９との間は、例えばインターネットなどを利用して通信可能である。
【００４１】
撮影装置５７は、撮影して撮影データ（映像データと音データを含む）を採取して、素材サーバ５３に送信する。
【００４２】
素材サーバ５３は、素材データ記憶部６１と、撮影データ受信部６３を備える。撮影データ受信部６３は、撮影装置５７が送信した撮影データを受信する。素材データ記憶部６１は、撮影データを記憶する。ここで、撮影は２回行われるとし、最初の撮影により第１撮影データ６５が得られ、次の撮影により第２撮影データ６７が得られるとする。
【００４３】
番組作成装置５５は、番組作成部７１（本願請求項の「番組作成部」の一例）と、素材データ処理部７３と、動的データ処理部７５（本願請求項の「動的データ処理部」の一例）と、入力部７７と、番組再生部７９（本願請求項の「番組再生部」の一例）と、基本シナリオ記憶部８１（本願請求項の「基本シナリオ記憶部」の一例）と、動的データ記憶部８２（本願請求項の「動的データ記憶部」の一例）と、番組データ記憶部８３を備える。
【００４４】
図２の例では、基本シナリオ部のそれぞれに対応して、番組データは１つ生成される。そのため、索引データは生成されない。番組作成部７１は、５つの基本シナリオ部のそれぞれに対応して、順に番組データを生成する。生成される５つの番組データを、順に、第１番組データ８５、第２番組データ８７、第３番組データ８９、第４番組データ９１、第５番組データ９３とする。表示装置５９は、生成された番組データにより特定される番組を順に再生する。
【００４５】
番組作成部７１、素材データ処理部７３、動的データ処理部７５、番組再生部７９、基本シナリオ記憶部８１、及び、動的データ記憶部８２は、基本的に、それぞれ、図１（ａ）の番組作成部２１、素材データ処理部２３、動的データ処理部２５、番組再生部２９、基本シナリオ記憶部１１、及び、動的データ記憶部１５と同様のものである。番組作成装置５５の利用者は、入力部７７（例えば、マウスやキーボードやタッチパネルなど）を操作して、番組作成装置５５に対して指示を与えることができる。
【００４６】
図２（ｂ）を参照して、基本シナリオを説明する。基本シナリオは、５つの基本シナリオ部に分かれている。
【００４７】
最初は、第１ナレーションである。第１ナレーションでは、視聴者を番組に導入させる言葉が定められている。番組作成部７１は、第１番組データ８５を生成して、例えばキャラクタを表示して動作させつつ、第１ナレーションで定められている言葉をセリフとして話す番組を特定する。
【００４８】
次に、第１撮影データ６５の再生である。この例では、生放送や生配信などのように、撮影と実質的に同時に番組を作成して再生することを想定している。第１撮影データ６５の再生では、撮影装置５７が撮影して第１撮影データを得つつ素材サーバ５３に送信し、素材データ処理部７３は、撮影装置５７の撮影と並行して第１撮影データ６５を得る。番組作成部７１は、第２番組データ８７を生成して、第１撮影データ６５を再生する番組を特定する。第２番組データ８７は、番組作成装置５５の利用者が入力部７７により切り換え指示を与えるまで継続し、切り替え指示によって次の第３番組データ８９に移る。
【００４９】
次に、第２ナレーションである。第２ナレーションは、視聴者の関心を第１撮影データから第２撮影データにつなぐためのものである。番組作成部７１は、第３番組データ８９を生成して、例えばキャラクタを表示して動作させつつセリフを話す番組を特定する。ここで、基本シナリオにおいて、第２ナレーションによる処理が終了する時刻（すなわち、次の第３ナレーションと第２撮影データを利用した番組を開始する時刻）が定められているとする。
【００５０】
次に、第３ナレーションと第２撮影データを利用したものである。第３ナレーションでは、第２撮影データを説明する言葉が定められている。番組作成部７１は、第４番組データ９１を生成して、第２撮影データ６７も、第１撮影データ６５と同様に、撮影装置５７が撮影しつつ、実質的に同時に再生する番組を特定する。また、番組作成部７１は、第４番組データ９１により、第２撮影データ６７と同時に、例えばキャラクタを表示して動作させつつ第３ナレーションにより定められたセリフを話す番組を特定する。第４番組データ９１は、番組作成装置５５の利用者が入力部７７により切り換え指示を与えるまで継続し、切り替え指示によって次の第５番組データ９３に移る。
【００５１】
次に、第４ナレーションである。第４ナレーションでは、番組をまとめるためのものである。番組作成部７１は、第５番組データ９３を生成して、例えばキャラクタを表示して動作させつつセリフを話す番組を特定する。ここで、基本シナリオにおいて、第４ナレーションによる処理が終了する時刻が定められているとする。
【００５２】
図２（ｃ）を参照して、番組作成システム５１の動作の一例を説明する。
【００５３】
番組作成部７１は、基本シナリオの第１ナレーションを用いて第１番組データ８５を生成する（ステップＳＴＤ１）。
【００５４】
番組作成部７１は、基本シナリオの「第１撮影データ再生」を用いて第２番組データ８７を生成して、撮影装置５７の撮影と並行して第１撮影データ６５を再生させる（ステップＳＴＤ２）。番組作成部７１は、番組作成装置５５の利用者が入力部７７を操作して切り換え指示を行ったか否かを判断する（ステップＳＴＤ３）。切り替え指示がないならばステップＳＴＤ２の処理を続ける。切り替え指示があったならばステップＳＴＤ４に進む。
【００５５】
ステップＳＴＤ４において、動的データ処理部７５は、動的データとして、第２ナレーションを用いた番組の再生が開始される時刻を計算する（ステップＳＴＤ４）。番組作成部７１は、動的データにより得られる第２ナレーションを用いた番組の再生が開始される時刻と、基本シナリオにおいて定められた第２ナレーションを用いた番組の再生を終了する時刻（すなわち、次の第３ナレーションと第２撮影データを利用した番組を開始する時刻）とを用いて、第２ナレーションを用いた番組がこれらの時刻の間となるように、第２ナレーションの言葉の表現を調整したり、セリフを話すスピードを調整したりする（ステップＳＴＤ５）。番組作成部７１は、第２ナレーションを用いた第３番組データ８９を生成する（ステップＳＴＤ６）。
【００５６】
番組作成部７１は、基本シナリオの「第３ナレーション＋第２撮影データ再生」を用いて第４番組データ９１を生成して、撮影装置５７の撮影と並行して第１撮影データ６５を再生させつつ、第３ナレーションを用いたキャラクタなどの再生を行う（ステップＳＴＤ７）。番組作成部７１は、番組作成装置５５の利用者が入力部７７を操作して切り換え指示を行ったか否かを判断する（ステップＳＴＤ８）。切り替え指示がないならばステップＳＴＤ７の処理を続ける。切り替え指示があったならばステップＳＴＤ９に進む。
【００５７】
ステップＳＴＤ９において、動的データ処理部７５は、動的データとして、第４ナレーションを用いた番組の再生が開始される時刻を計算する（ステップＳＴＤ９）。番組作成部７１は、動的データにより得られる第４ナレーションを用いた番組の再生が開始される時刻と、基本シナリオにおいて定められた第４ナレーションを用いた番組の再生を終了する時刻とを用いて、第４ナレーションを用いた番組がこれらの時刻の間となるように、第４ナレーションの言葉の表現を調整したり、セリフを話すスピードを調整したりする（ステップＳＴＤ１０）。番組作成部７１は、第４ナレーションを用いた第５番組データ９３を生成する（ステップＳＴＤ１１）。
【００５８】
図２の番組作成システム５１によれば、利用者は、入力部７７を利用して、第１撮影データ６５の再生の切り替え指示と、第２撮影データ６７の再生の切り替え指示とを与えれば、生配信や生放送などを実現することができる。
【００５９】
図３及び図４を参照して、地震を警報する番組を自動生成する場合について説明する。ここでは、再生装置はスピーカーであり、音による番組を自動生成するとする。図３は、本願発明の実施の形態に係る番組作成システム１０１の構成の一例を示すブロック図である。図４は、（ａ）基本シナリオの一例を示す図と、（ｂ）及び（ｃ）動作の一例を示すフロー図と、（ｄ）作成される番組データの関係の一例を示す図である。
【００６０】
図３を参照して、番組作成システム１０１は、全国サーバ１０３と、交通サーバ１０５と、市町村サーバ１０７と、番組作成装置１０９（本願請求項の「番組作成装置」の一例）を備える。また、番組作成システム１０１は、第１地区１５９に存在する個人宅再生装置１６３、避難所再生装置１６５及び移動再生装置１６７と、第２地区１６１に存在する個人宅再生装置１６９、避難所再生装置１７１及び移動再生装置１７３を備える。この例では、個人宅再生装置１６３、避難所再生装置１６５、移動再生装置１６７、個人宅再生装置１６９、避難所再生装置１７１、及び、移動再生装置１７３を「再生装置」ともいう。全国サーバ１０３、交通サーバ１０５及び市町村サーバ１０７と番組作成装置１０９との間、及び、番組作成装置１０９と再生装置との間は、例えばインターネットなどによって通信可能である。
【００６１】
全国サーバ１０３は、例えば国家が管理するサーバである。全国サーバ１０３は、グローバル記憶部１１１と、全国サーバ処理部１１２を備える。グローバル記憶部１１１は、グローバル地震状況データ１１３を記憶する。グローバル地震状況データ１１３は、例えば、震源地、震度などを特定する。全国サーバ処理部１１２は、グローバル地震状況データ１１３を管理する。
【００６２】
交通サーバ１０５は、例えば、道路を管理する団体が管理するサーバである。交通サーバ１０５は、トラフィック記憶部１１５と、交通サーバ処理部１１６を備える。トラフィック記憶部１１５は、交通状況データ１１７と、行動指針データ１１９と、予定データ１２１を記憶する。交通状況データ１１７は、各地の道路の交通状況に関する情報を特定する。行動指針データ１１９は、各地の道路の交通状況に応じて、番組の聴取者が取るべき行動に対する指針を特定する。予定データ１２１は、将来の予定を特定するものであり、例えば、渋滞緩和の見通しや、各データを次に更新するタイミングなどを特定する。交通サーバ処理部１１６は、トラフィック記憶部１１５が記憶するデータを管理する。
【００６３】
市町村サーバ１０７は、例えば地方自治体が管理するサーバである。市町村サーバ１０７は、ローカル記憶部１２３と、市町村サーバ処理部１２４を備える。ローカル記憶部１２３は、第１地区データ１２５と、第２地区データ１２７を記憶する。市町村サーバ処理部１２４は、ローカル記憶部１２３が記憶するデータを管理する。
【００６４】
第１地区データ１２５は、第１地区地震状況データ１２９と、第１地区行動指針データ１３１と、第１地区予定データ１３３を含む。第１地区地震状況データ１２９は、第１地区における地震状況に関する情報を特定する。第１地区行動指針データ１３１は、第１地区の地震状況に応じて、第１地区の聴取者が取るべき行動に対する指針を特定する。第１地区予定データ１３３は、将来の予定を特定するものであり、例えば、救助の見通しや、各データを次に更新するタイミングなどを特定する。
【００６５】
第２地区データ１２７は、第２地区地震状況データ１３５と、第２地区行動指針データ１３７と、第２地区予定データ１３９を含む。第２地区地震状況データ１３５は、第２地区における地震状況に関する情報を特定する。第２地区行動指針データ１３７は、第２地区の地震状況に応じて、第２地区の聴取者が取るべき行動に対する指針を特定する。第２地区予定データ１３９は、将来の予定を特定するものであり、例えば、救助の見通しや、各データを次に更新するタイミングなどを特定する。
【００６６】
一般に、地震発生直後は、全国サーバ１０３における情報が充実する。発生から時間が経過するにつれて、市町村サーバ１０７における情報が充実する。
【００６７】
番組作成装置１０９は、基本シナリオ記憶部１４１（本願請求項の「基本シナリオ記憶部」の一例）と、動的データ記憶部１４３（本願請求項の「動的データ記憶部」の一例）と、索引データ記憶部１４５と、番組データ記憶部１４７と、番組作成部１４９（本願請求項の「番組作成部」の一例）と、素材データ処理部１５１と、動的データ処理部１５３（本願請求項の「動的データ処理部」の一例）と、索引データ処理部１５５（本願請求項の「索引データ処理部」の一例）と、番組再生部１５７（本願請求項の「番組再生部」の一例）を備える。
【００６８】
基本シナリオ記憶部１４１、動的データ記憶部１４３、索引データ記憶部１４５と、番組データ記憶部１４７と、番組作成部１４９、素材データ処理部１５１、動的データ処理部１５３、索引データ処理部１５５、及び、番組再生部１５７は、基本的に、それぞれ、図１（ａ）の基本シナリオ記憶部１１、動的データ記憶部１５、索引データ記憶部１７、番組データ記憶部１９と、番組作成部２１、素材データ処理部２３、動的データ処理部２５、索引データ処理部２７、及び、番組再生部２９と同様のものである。
【００６９】
第１地区１５９において、個人宅再生装置１６３は、個人宅に設置されたスピーカーにより番組を再生するものである。避難所再生装置１６５は、避難所に設置されたスピーカーにより番組を再生するものである。移動再生装置１６７は、例えば、車載スピーカーやスマートフォンなどのように、移動しつつ番組を再生するものである。
【００７０】
第２地区１６１において、個人宅再生装置１６９及び避難所再生装置１７１は、それぞれ、個人宅及び避難所に設置されたスピーカーにより番組を再生するものである。移動再生装置１７３は、例えば、移動しつつ番組を再生するものである。
【００７１】
図４（ａ）を参照して、基本シナリオを説明する。番組作成部１４９は、基本シナリオを繰り返し使用して番組データを生成する。基本シナリオは、４つの基本シナリオ部に分かれている。
【００７２】
最初は、グローバル地震状況データ１１３の説明である。次に、状況データ（交通状況データ１１７、第１地区地震状況データ１２９、第２地区地震状況データ１３５）の説明である。次に、行動指針データ（行動指針データ１１９、第１地区行動指針データ１３１、第２地区行動指針データ１３７）の説明である。次に、予定データ（予定データ１２１、第１地区予定データ１３３、第２地区予定データ１３９）の説明である。
【００７３】
図４（ｂ）及び（ｃ）を参照して、番組作成システム１０１の動作の一例を説明する。
【００７４】
図４（ｂ）を参照して、通常の状態では、通常の番組が放送・配信されている。番組作成部１４９は、全国サーバ１０３からの通知により地震が発生したことが伝えられるまで待機する（ステップＳＴＥ１）。例えば全国サーバ１０３から地震発生の通知があったならば（ステップＳＴＥ１でＹＥＳの場合）、番組作成部１４９は、再生装置に緊急番組があることを通知し、基本シナリオに従って素材データを用いて番組を生成する（ステップＳＴＥ２）。なお、素材データは、全国サーバ１０３からの通知に含まれるものを利用してもよく、素材データ処理部１５１が収集したものでもよい。
【００７５】
次に、素材データ処理部１５１は、素材データを確認して、素材データが更新されるまで待機する（ステップＳＴＥ３）。素材データは、グローバル地震状況データ１１３、状況データ（交通状況データ１１７、第１地区地震状況データ１２９、第２地区地震状況データ１３５）、行動指針データ（行動指針データ１１９、第１地区行動指針データ１３１、第２地区行動指針データ１３７）、予定データ（予定データ１２１、第１地区予定データ１３３、第２地区予定データ１３９）である。
【００７６】
素材データが更新されたならば、素材データ処理部１５１は素材データを収集し、動的データ処理部１５３は、素材データをグループ分けする（ステップＳＴＥ４）。素材データが複数のグループに分類されたならば、動的データ処理部１５３はグループごとに動的データを作成し（ステップＳＴＥ５）。索引データ処理部１５５はグループごとに索引データを作成する（ステップＳＴＥ６）。番組作成部１４９は、基本シナリオ及び動的データを利用してグループごとに番組を作成する（ステップＳＴＥ７）。
【００７７】
番組作成部１４９は、番組作成を終了するか否かを判断する（ステップＳＴＥ８）。番組作成を終了するならば、ステップＳＴＥ１に戻る。番組作成を終了しないならば、ステップＳＴＥ３に戻る。
【００７８】
図４（ｃ）を参照して、再生装置の動作の一例を説明する。図３の再生装置は、図１の再生装置５と同様の構成により、環境データを収集したり、番組を選択したり、番組を再生したりすることができる。
【００７９】
再生装置は、番組作成部１４９からの緊急番組の通知を受けると、緊急番組を再生するか否かを判断する（ステップＳＴＦ１）。緊急番組を再生しないならば、通常の番組を再生する。緊急番組を再生するならば、ステップＳＴＥ２において作成された基本シナリオによる番組を再生する（ステップＳＴＦ２）。再生装置は、環境データを更新する（ステップＳＴＦ３）。番組作成装置１０９が素材データをグループ分けして複数の番組を作成するようになったならば、索引データと環境データを比較して番組を選択し（ステップＳＴＦ４）、選択した番組を再生する（ステップＳＴＦ５）。
【００８０】
再生装置は、緊急番組の再生を終了するか否かを判断する（ステップＳＴＦ６）。緊急番組の再生を終了するならば、ステップＳＴＦ１に戻る。緊急番組の再生を終了しないならば、ステップＳＴＦ３に戻る。
【００８１】
図４（ｄ）を参照して、番組作成装置１０９により作成される番組と、再生装置が選択して再生する番組の一例を説明する。
【００８２】
地震の発生からしばらくは、素材データから生成される番組は一つであることが予想される（図４（ｄ）の「基本番組」参照）。ステップＳＴＥ２の段階では、地震の発生直後であり、グローバル地震状況データ１１３は更新されても、通常、交通サーバ１０５及び市町村サーバ１０７には、発生した地震に関する情報は実質的に存在しない。そのため、主として、最初の基本シナリオ部である、グローバル地震状況データ１１３の説明となるであろう。例えば、「地震が発生しました。身を守る行動を行ってください。」ということを説明する番組であり、再生装置では、これが繰り返し再生されると予想される。
【００８３】
ステップＳＴＥ４〜ＳＥＴ７についても、しばらくは、グローバル地震状況データ１１３を中心に更新されると考えられる。すなわち、例えば、震源地や震度などの情報が充実されるであろう。そのため、依然としてグループは一つであり、「震源地は○○県で、最大震度は〇です。余震が発生する可能性があります。注意して行動してください。」のような説明をする番組であろう。
【００８４】
徐々に、各地の被災状況が具体的に明らかになるであろう。その結果、交通サーバ１０５及び市町村サーバ１０７の情報が充実してくると考えられる。例えば、車を運転している人にとって、行き先の交差点で信号が停電しているなどの情報は、命にかかわるものである。他方、家にいる人にとっては、家に留まるか外出するかの判断などのために、例えば近隣での火災の発生などの情報が重要である。このように、情報は、個々の人が置かれている環境で異なってくる。
【００８５】
素材データ処理部１５１は、交通サーバ１０５及び市町村サーバ１０７の素材データが更新されると、これらを比較してグルーピングし、番組作成部１４９は、多様な番組を作成する。図４（ｄ）では、まず、素材データ処理部１５１が、素材データを、交通サーバ１０５に関する情報と、市町村サーバ１０７に関する情報にグルーピングし、交通サーバ１０５に関する情報を中心とした番組（移動機器番組）と、市町村サーバ１０７に関する情報を中心とした番組（固定機器番組）を生成する。続いて、素材データ処理部１５１は、第１地区データ１２５と第２地区データ１２７を比較して基準以上の差異が生じたならば、素材データを新たにグループ分けして、第１地区データを中心とした番組（第１地区番組）と、第２地区データを中心とした番組（第２地区番組）を生成する。さらに、素材データ処理部１５１は、各地区データにおける行動指針データについて、個人的な行動に関するもの（例えば、避難所に避難すべきか否かの判断に資するもの）と、公的な行動に関するもの（例えば、避難所に避難した後の行動に資するもの）とを比較して基準以上の差異が生じたならば、素材データを新たにグループ分けして、各地区の個人機器番組（第１地区個人機器番組及び第２地区個人機器番組）と、公共機器番組（第１地区公共機器番組及び第２地区公共機器番組）を生成する。
【００８６】
再生機器は、環境データ及び索引データを利用して番組作成装置１０９が作成する番組を選択して再生する。
【００８７】
例えば、第１地区の個人宅再生装置１６３は、第１地区に存在する個人の家に設置されて利用されるものである。この場合、環境データは、例えば、存在する場所が第１地区、固定的に存在して、個人的に使用されているもの、である。そうすると、最初は、一つしかない「基本番組」を再生するが、索引データとして「固定的に使用されるもの」を指定する「固定機器番組」を選択し、続いて、索引データとして「第１地区で固定的に使用されるもの」を指定する「第１地区番組」を選択し、さらに、索引データとして「第１地区で固定的に個人的に使用されるもの」を指定する「第１個人機器番組」を選択して再生するようになるであろう。他の再生装置も、同様である。これにより、再生装置は、番組作成装置１０９が作成した多様な番組を利用して、置かれた環境に適した番組を再生することが可能になる。
【００８８】
同様に、第１地区の避難所再生装置１６５は、第１地区に存在する避難所に設置されて利用される。この場合、環境データは、例えば、存在する場所が第１地区、固定的に存在して、公共に使用されているもの、である。そうすると、最初は、一つしかない「基本番組」を再生するが、索引データとして「固定的に使用されるもの」を指定する「固定機器番組」を選択し、続いて、索引データとして「第１地区で固定的に使用されるもの」を指定する「第１地区番組」を選択し、さらに、索引データとして「第１地区で固定的に公共で使用されるもの」を指定する「第１公共機器番組」を選択して再生するようになるであろう。
【００８９】
同様に、第１地区の移動再生装置１６７は、第１地区に存在して移動して利用される。この場合、環境データは、例えば、存在する場所が第１地区、移動しているもの、である。そうすると、最初は、一つしかない「基本番組」を再生するが、索引データとして「移動して使用されるもの」を指定する「移動機器番組」を選択し、続いて、索引データとして「第１地区で移動して使用されるもの」を指定する「第１地区移動機器番組」を選択して再生するようになるであろう。
【００９０】
第２地区の個人宅再生装置１６９、避難所再生装置１７１及び移動再生装置１７３も、それぞれ、第１地区の個人宅再生装置１６３、避難所再生装置１６５及び移動再生装置１６７と同様にして、最初は、一つしかない「基本番組」を再生するが、徐々に選択を変更して、それぞれ、「第１個人機器番組」「第１公共機器番組」「第１地区移動機器番組」を選択して再生するようになる。
【００９１】
このように、再生装置は、番組作成装置１０９が作成した多様な番組を利用して、置かれた環境に適した番組を再生することが可能になる。
【００９２】
なお、再生装置が置かれた環境は、例えば、第１地区で使用していても、利用者が第２地区に住んでいる老人の救助に向かおうとするのであれば、第２地区の被災状況を説明することが適切となる。このように、再生装置が収集する環境データは、再生装置に応じた静的なものではなく、利用者の会話や指示などに応じて変更するものであってもよい。
【００９３】
また、再生装置は、全国のいずれかで地震などが発生すれば常に緊急番組を再生するのではなく、利用者の指示などに応じて、少なくとも再生装置が置かれた地域が含まれる緊急番組を受信するようにしてもよい（ステップＳＴＦ１参照）。例えば、再生装置は、再生装置が置かれた地域を自動的に設定し、その他、利用者が指定した地域を含める。そして、再生装置が置かれた地域及び利用者が指定した地域において地震が発生したならば、緊急番組を再生する。他の地域であっても、例えば震度４以上であれば緊急番組を受信するが、ループ回数は少なくすることなどをしてもよい。
【符号の説明】
【００９４】
１，５１，１０１  番組作成システム、３，５５，１０９  番組作成装置、５  再生装置、１１，８１，１４１  基本シナリオ記憶部、１３  素材データ記憶部、１５，８２，１４３  動的データ記憶部、１７，１４５  索引データ記憶部、１９，８３，１４７  番組データ記憶部、２１，７１，１４９  番組作成部、２３，７３，１５１  素材データ処理部、２５，７５，１５３  動的データ処理部、２７，１５５  索引データ処理部、２９，７９，１５７  番組再生部、３１  環境データ処理部、３３  番組選択部、３５  番組再生部、５３  素材データ、５７  撮影装置、５９  表示装置、６１  素材データ記憶部、６３  撮影データ受信部、６５  第１撮影データ、６７  第２撮影データ、７７  入力部、８５  第１番組データ、８７  第２番組データ、８９  第３番組データ、９１  第４番組データ、９３  第５番組データ、１０３  全国サーバ、１０５  交通サーバ、１０７  市町村サーバ、１１１  グローバル記憶部、１１２  全国サーバ処理部、１１３  グローバル地震状況データ、１１５  トラフィック記憶部、１１６  交通サーバ処理部、１１７  交通状況データ、１１９  行動指針データ、１２１  予定データ、１２３  ローカル記憶部、１２４  市町村サーバ処理部、１２５  第１地区データ、１２７  第２地区データ、１２９  第１地区地震状況データ、１３１  第１地区行動指針データ、１３３  第１地区予定データ、１３５  第２地区地震状況、１３７  第２地区行動指針データ、１３９  第２地区予定データ，１５９  第１地区、１６１  第２地区、１６３，１６９  個人宅再生装置、１６５，１７１  避難所再生装置、１６７，１７３  移動再生装置。
【図１】
0006920701.tif 000002
【図２】
0006920701.tif 000003
【図３】
0006920701.tif 000004
【図４】
0006920701.tif 000005